(57)【要約】【課題】  少部品化、単純構造、組立工数を削減することができるディスク機器のマスク装着構造を提供する。【解決手段】  シェル体のマスク（以下、マスク本体と称す）で、マスク本体にはキー等により回転機構を有するロック（以下、ロックと称す）が組み込まれて、フックを嵌め込んで引っ掛ける穴が施されているマスク本体と、マスク自体を装着する装置（以下、本体装置と称す）に取り付けられて上記ロックの回転機構により施錠される金具（以下、取付金具と称す）と、本体装置に取り付けられてフック形状が施され、そのフックをマスク本体の穴に嵌め込んで引っ掛ける事で保持する取付器具（以下、ブラケットと称す）と、マスク本体を載せる受台を有する本体装置から構成される。【選択図】      図１
2005302116.tif 000002
【特許請求の範囲】
【請求項１】
シェル体のマスク本体、マスク本体に組み込まれて回転機構と施錠板を有し、施錠板が回転機構に連動するロック、受台を有する本体装置、上記ロックの施錠板によって施錠される取付金具、およびフック形状を有するブラケット、によって構成され、
取付金具とブラケットが、本体装置に取り付き、
本体装置に施された受台にマスクを載せることを特徴とし、これによって安定した装着状態を保て、
マスクの内寸＞（大なり）取付金具とブラケット間寸法となるような微小クリアランスが設定されることを特徴とし、マスクを取付金具とブラケットに覆う事で、マスクの位置決めがされ、
ブラケットのフック部が、マスク本体に嵌め込まれ引っ掛かる事を特徴とし、これによってマスクの位置決めと固定保持がされ、
ロックと取付金具の施錠を介して固定保持され、
マスク本体はシェル体で、ロックが組み込まれ、側面に嵌め込みと引っ掛け穴を有し、
マスクに組み込まれるロックは、回転機構が施されて施錠板を有し、施錠板は回転に連動し、
ロックの施錠板が回転動作により、取付金具と交差して事で施錠され、
取付金具は、ロックの施錠板通過と交差する穴が施され、その穴は施錠板の板厚に対して微小なクリアランスを設定され、
ブラケットは、フック形状を有し、
本体装置は、マスクの受台を有する事を特徴とする、ディスク機器装置のマスク装着構造。  
【発明の詳細な説明】
【技術分野】
【０００１】
本発明は、ディスク機器装置のマスク装着構造に関する。
【背景技術】
【０００２】
ディスク機器にマスクを装着することが行われている（例えば、特許文献１参照。）。
【０００３】
【特許文献１】特開２００３−２９７０６３号公報従来のディスク機器のマスク装着では、その作業工程の簡易化や機能を実現するために、様々な部品を用いている。
【発明の開示】
【発明が解決しようとする課題】
【０００４】
そのため、マスクに組み込まれる部材数が多く、締結品を含めると２０点以上となり、機構も複雑化している。結果、マスク自体の組立工数の増大と原価の高価格化を招いている。
【０００５】
マスクに限らず、近年のディスク機器に使用される物品は、低価格、少部品、単純構造、かつ組立工数がかからない品物を提供することが大きな課題となっている。特に、低価格化を実現すためには、少部品化、単純構造、組立工数削減が必須的な課題である。
【０００６】
本発明では、上記課題を解決するディスク機器のマスク装着構造案を提供する。
【課題を解決するための手段】
【０００７】
本発明のディスク機器装置のマスク装着構造は、シェル体のマスク本体、マスク本体に組み込まれて回転機構と施錠板を有し、施錠板が回転機構に連動するロック、受台を有する本体装置、上記ロックの施錠板によって施錠される取付金具、およびフック形状を有するブラケット、によって構成され、取付金具とブラケットが、本体装置に取り付き、本体装置に施された受台にマスクを載せることを特徴とし、これによって安定した装着状態を保て、マスクの内寸＞（大なり）取付金具とブラケット間寸法となるような微小クリアランスが設定されることを特徴とし、マスクを取付金具とブラケットに覆う事で、マスクの位置決めがされ、ブラケットのフック部が、マスク本体に嵌め込まれ引っ掛かる事を特徴とし、これによってマスクの位置決めと固定保持がされ、ロックと取付金具の施錠を介して固定保持され、マスク本体はシェル体で、ロックが組み込まれ、側面に嵌め込みと引っ掛け穴を有し、マスクに組み込まれるロックは、回転機構が施されて施錠板を有し、施錠板は回転に連動し、ロックの施錠板が回転動作により、取付金具と交差して事で施錠され、取付金具は、ロックの施錠板通過と交差する穴が施され、その穴は施錠板の板厚に対して微小なクリアランスを設定され、ブラケットは、フック形状を有し、本体装置は、マスクの受台を有する事を特徴とする。
【０００８】
本発明は、シェル体のマスク（以下、マスク本体と称す）で、マスク本体にはキー等により回転機構を有するロック（以下、ロックと称す）が組み込まれて、フックを嵌め込んで引っ掛ける穴が施されているマスク本体と、マスク自体を装着する装置（以下、本体装置と称す）に取り付けられて上記ロックの回転機構により施錠される金具（以下、取付金具と称す）と、本体装置に取り付けられてフック形状が施され、そのフックをマスク本体の穴に嵌め込んで引っ掛ける事で保持する取付器具（以下、ブラケットと称す）と、マスク本体を載せる受台を有する本体装置から構成されることを特徴とする、ディスク機器装置のマスクの装着構造である。
【発明の効果】
【０００９】
第１の効果として、本発明のディスク機器装置のマスク装着構造は、低価格化が実現できる。これは、使用部品の少数化と構造の単純化により、部品点数毎の費用と組立      工数の削減が行えるためである。
【００１０】
第２の効果として、本発明のディスク機器装置のマスク装着構造は、使用部品の少数化と構造の単純化が提供できる。この理由は、以下による。
【００１１】
1. マスク装着の際、マスクを本体装置の受台に載せる作業が、本体装置とマスクの必要な二物品だけで行えるためである。
【００１２】
2. マスク装着時の位置決めが、マスク本体、取付金具、およびブラケットの３部品で行えるためである。
【００１３】
3. マスク本体を取付金具に嵌め込み引っ掛けることが、マスク装着の位置決めと固定をが、兼ね備えているためである。
【００１４】
4. マスク装着の固定が、マスク本体、ロック、取付金具、およびブラケットの４部品で行えるためである。
【００１５】
5. マスク装着の固定機能が、マスク本体をブラケットに嵌め込み引っ掛けるという単純な仕組みを採用しているためである。
【００１６】
6. マスク装着の固定機能が、キー等によるロックの回転機構を用いて施錠するという単純な仕組みを採用しているためである。
【００１７】
7. マスク装着に関わる締結部品は、マスク自体には全く必要としないためである。
【００１８】
8. マスク装着に関わる締結部品は、マスク以外では４点で実現できるためである。
【００１９】
第３の効果として、本発明のディスク機器装置のマスク装着構造は、マスク、および本体装置の組立工数の削減が行える。この理由は、以下による。
【００２０】
1. マスクの装着に必要な部品は、ロックのみであり、締結品は存在しない。このため、発生するマスクの組立作業は、ロックをマスク本体に取り付ける作業のみである。
【００２１】
2. マスク装着で必要となる、嵌め込み兼、引っ掛け穴は、マスク本体製作の際、同時に施されるためである。
【００２２】
3. マスク装着に関わる取付部品は、取付金具とブラケットの２部品のみのためである。
【００２３】
第４の効果として、本発明のディスク機器装置のマスク装着構造は、容易にマスクを本体装置に装着することができる。この理由は、以下による。
【００２４】
1. マスク装着の作業段階において、マスクを本体装置の受台に載せることで、重力に影響されない安定した作業が行えるためである。
【００２５】
2. マスク装着の位置決めと固定が、マスク本体を取付金具に嵌め込み引っ掛けることで、同時に行えるためである。
【００２６】
3. マスク装着の固定が、単純なキー等のロックの回転機構を用いて施錠するためである。
【００２７】
第５の効果として、本発明のディスク機器装置のマスク装着構造は、ディスク機器装置に良好な装着を提供でる。
【００２８】
1. マスク本体とブラケットが嵌め込みによる引っ掛かりにより、何らかの外乱で発生するマスクの微動がなくなるためである。
【００２９】
2. マスクは、ロックを介して取付金具で施錠することで、何らかの外乱で発生するマスクの微動がなくなるためである。
【００３０】
3. 上記１，２に加え、マスクを本体装置の受台に載せてマスクの自重を本体装置で支えることで、より安定した状態を保てるためである。
【発明を実施するための最良の形態】
【００３１】
図１、および図２に、本発明品の構成を示す。
【００３２】
図１では、マスク１が本体装置５に装着するために、マスク１が本体装置５の受台５１に載せられようとしている。この搭載作業によりマスクの落下を防止と作業の安定化を実現している。また、本図に示すように本体装置５の両端側においては、片側には取付金具３、もう一方の片側にはブラケット４が取り付けられている。そして、マスク本体１１の両端側においては、片側にはロック２が組み込まれ、もう一方の片側では嵌め込み兼、引っ掛け穴１２が施されている。
【００３３】
図２は、本発明によるマスク装着図である。マスク１の装着は、取付金具３とマスク１のロック２による施錠と、ブラケット４のフック部４１がマスク本体１１の穴１２に嵌め込まれて引っ掛かる事で、実現されている。この施錠と引っ掛けにより、マスク１の前後左右、および上下の全方向の動きを防止してマスク１を固定し、装着している。
【００３４】
以下に、主な構成品について説明する。
【００３５】
図３に、本発明品のマスク本体１１の概略図を示す。マスク本体１１はシェル体で、両端側においては、片側にはロック２が組み込まれ、もう一方の片側側面には嵌め込み兼、引っ掛け穴１２が施されている。ロック２は、キー等の差込穴側がマスクの外側、施錠板２１がマスク内側になるよう組み込まれている。なお、ロック２については、以下に説明する。
【００３６】
図４は、上述ロック２の概略図である。本ロック２は、キー等による回転機構を有し、キー等の差込穴２０が施されており、対面側は施錠板２１が取り付けられている。本施錠板２１は、キー等の回転操作に連動して回転し、その可動範囲は９０°となっている。
【００３７】
図５は、取付金具３の概略図である。本金具３は、大まかには縦長の「コ」の字型形状で、ネジ等で本体装置５に取り付けられている。「コ」の片側には本品取付用にネジ等が介される穴が、一方の片側先端部には更なる曲げが、各々施されている。そして、主となる胴体面３０には、上記ロックの施錠板が通過、交差ができる細長の溝穴３１が施されている。
【００３８】
図６は、ブラケット４の概略図である。当ブラケット４は、大体にはＬ字型形状で「Ｌ字」を引き伸ばした両端にヒサシ状構造を有しており、ネジ等で本体装置に取り付けられる。ネジ等の取付側には取付用の穴が、もう片面側にはフック形状４１が、各々施されている。
【００３９】
図７に、本発明品の本体装置５の概略図を示す。本体装置５おいて、マスク装着側にはネジ等により、上記取付金具３、およびブラケット４取付用の加工と、マスク１を載せる事で安定した装着が可能となる受台５１が、各々施されている。
【００４０】
図１では、マスク１が本体装置５に装着されるために、マスク１が本体装置５の受台５１に載せられようとしている。この搭載方法により、重力に影響されない安定な作業が実現出来る。
【００４１】
図２はマスク装着状態を示しているが、他にマスク１を本体装置５の受台５１に置いた後、マスク１と本体装置５を密着させた状態も示している。ここでは、後者の状態（以下、マスク密着状態と称す）とし、以下にその時の動作説明を行う。
【００４２】
マスク密着状態において、マスク本体１１は、本体装置５に取り付けた取付金具３とブラケット４を覆っており、ブラケット４に施されたフック部４１が、マスク本体１１側面に施された穴１２を介して嵌め込んで引っ掛けられている。この嵌め込みにと引っ掛けにより、当箇所では全方向に関して完全に固定される。また、シェル体であるマスク本体１の内寸１３（以下、マスク内寸１３と称す）と、取付金具とブラケット間の最大寸法５３（以下、部材間寸法５３と称す）には、マスク内寸１３＞（大なり）部材間寸法５３、となるような微小なクリアランスが設けられている。このクリアランスと嵌め込みによる引っ掛かりにより、マスク１の適切な位置決めと、マスク１に働く不安定な前後、左右、上下方向の微動の抑制を、同時に実現できる。更に上述したように、マスク１は本体装置５の受台５１に支えられているので、マスク１全体では下向き方向に対しても安定した搭載ができている。
【００４３】
しかし、本状態では未だ、マスク１はロック２による本体装置５との施錠が行われていない。このため、マスク１は本体装置５に対して、片もち構造であり、マスク１自体、不安定な装着となっている。以下に、マスク１の装着を完全に機能させるロック２による施錠の仕組み、および動作について述べる。
【００４４】
マスク装着前、およびマスク密着時には、マスク１本体に組み込まれているロック２の施錠板２１は、図４．１の通り、取付金具３と重なって干渉しない状態になっている。本ロック２は、キー等の操作の回転により施錠板２１も連動する機構が施されており、これを利用する事で、マスク１と本体装置５を施錠ですることは既に述べた。すなわち、マスク密着時にロック２をキー等で回転させる事で、施錠板２１は、図４に示される軌道２２を描いて取付金具３に設けられた溝穴３１を通過した後、図４．２の通り、取付金具３と交差した位置で停止して、施錠が完全に行われる。ここで、取付金具３に設けられた溝穴３１の幅３３は、施錠板の厚さ２３に対して非常に微小なクリアランスが設けられている。これにより、ロック部における不安定な微動は抑えられ、上述した片持ち構造は消滅し、マスク１は完全に本体装置５に装着される。
【図面の簡単な説明】
【００４５】
【図１】本発明品の構成を示した図である。
【図２】本発明品の構成を示した図である。
【図３】本発明品のマスク本体１１の概略図である。
【図４】ロック２の概略図である。
【図５】取付金具３の概略図である。
【図６】ブラケット４の概略図である。
【図７】本発明品の本体装置５の概略図である。
【符号の説明】
【００４６】
１  マスク
２  キー
３  取付金具
４  ブラケット
５  本体装置
１１  マスク本体
１２  穴
１３  マスク内寸
５１  受台
５３  部材間寸法
【図１】
2005302116.tif 000003
【図２】
2005302116.tif 000004
【図３】
2005302116.tif 000005
【図４】
2005302116.tif 000006
【図５】
2005302116.tif 000007
【図６】
2005302116.tif 000008
【図７】
2005302116.tif 000009